(57)【要約】【課題】簡単かつ安価な構成であるにも拘わらず作業効率よく複数人の薬剤師が同時に調剤を行うことを可能とする。【解決手段】薬品Ｄが収容される薬品棚３の各収容部１４に設けられ、担当薬剤師を識別する担当薬剤師識別手段７と、薬剤師データが格納される記憶手段２５と、処方データが入力されることにより、処方データと、記憶手段２５に格納した薬剤師データとを互いに関連付けて処方テーブルを作成し、処方テーブルを記憶手段２５に格納した後、薬品棚３から薬品が取り出される際、担当薬剤師識別手段７によって識別された薬剤師の薬剤師データに基づいて処方テーブルを参照し、薬品棚３から取り出す薬品の調剤を許可されている薬剤師であるか否かを判断する制御手段２４とを備えた構成とする。【選択図】図１
2006155599.tif 000002
【特許請求の範囲】
【請求項１】
薬品が収容される薬品棚の各収容部に設けられ、担当薬剤師を識別する担当薬剤師識別手段と、
薬剤師データが格納される記憶手段と、
処方データが入力されることにより、該処方データと、前記記憶手段に格納した薬剤師データとを互いに関連付けて処方テーブルを作成し、該処方テーブルを前記記憶手段に格納した後、薬品棚から薬品が取り出される際、前記担当薬剤師識別手段によって識別された薬剤師の薬剤師データに基づいて、前記処方テーブルを参照し、薬品棚から取り出す薬品の調剤を許可されている薬剤師であるか否かを判断する制御手段とを備えたことを特徴とする調剤支援装置。
【請求項２】
前記担当薬剤師識別手段によって識別する対象は、薬剤師の手に装着される識別部材であることを特徴とする請求項１に記載の調剤支援装置。
【請求項３】
調剤開始時に薬剤師データを読み込む薬剤師データ読込手段と、
調剤開始時に勤務薬剤師を識別するための勤務薬剤師識別手段とをさらに備え、
前記制御手段は、前記薬剤師データ読込手段で読み込まれた薬剤師データが前記記憶手段に記憶されているか否かを判断し、記憶されていると判断すれば、前記勤務薬剤師識別手段によって識別された勤務薬剤師データとを互いに関連付けることにより勤務薬剤師テーブルを作成し、該勤務薬剤師テーブルを前記記憶手段に格納することを特徴とする請求項１又は２に記載の調剤支援装置。
【請求項４】
前記薬品棚の各棚には、担当薬剤師別に識別可能な表示部を設けたことを特徴とする請求項１乃至３のいずれか１項に記載の調剤支援装置。
【請求項５】
前記薬品棚の各棚には、薬品の残量を検出する薬品残量検出部を設けたことを特徴とする請求項１乃至４のいずれか１項に記載の調剤支援装置。
【請求項６】
前記制御手段は、処方データと担当薬剤師の関連付けを薬品毎に設定して前記記憶手段に格納することを特徴とする請求項１乃至５のいずれか１項に記載の調剤支援装置。
【請求項７】
前記制御手段は、薬品棚から薬品が取り出されたことが、前記薬品残量検出部によって検出されることにより、取り出された薬品とその数量を算出し、調剤が完了する毎に、調剤完了テーブルに格納することを特徴とする請求項１乃至６のいずれか１項に記載の調剤支援装置。
【請求項８】
前記薬品棚を開閉駆動可能な開閉部材をさらに備え、
前記制御手段は、前記勤務薬剤師識別手段で薬剤師を識別し、前記記憶手段に予め格納された薬剤師データに該当するものがあれば、前記開閉部材を駆動制御して薬品棚を開放するようにしたことを特徴とする請求項３乃至７のいずれか１項に記載の調剤支援装置。
【請求項９】
前記薬品棚の各収容部に開閉駆動可能な扉を設け、
前記制御手段は、入力された処方データに基づいて、前記記憶手段に記憶した処方テーブルから担当薬剤師を読み込み、読み込んだ担当薬剤師と、前記勤務薬剤師識別手段で識別した薬剤師とが一致しているか否かを判断し、一致していれば、前記処方データに含まれる薬品が収容された収容部の扉を開放するようにしたことを特徴とする請求項３乃至７のいずれか１項に記載の調剤支援装置。
【請求項１０】
前記薬品棚の各収容部は、該収容部への進入物を検出する進入物検出手段をさらに備え、
前記制御手段は、前記薬品師識別手段の検出信号の入力がない状態で、前記薬品取出有無検出手段からの検出信号の入力があれば、エラーであると判断することを特徴とする請求項１乃至８のいずれか１項に記載の調剤支援装置。
【請求項１１】
薬品を収容可能な引出をさらに備え、
該引出は、内部が複数の収容室に区画され、引き出す前に外部に露出する部位に配置され、処方データに基づいて調剤の対象となる薬品が収容されているか否かを表示する表示部と、引き出すことにより露出する部位に配置され、調剤の対象となる薬品が収容されている収容室を示す他の表示部とを備えたことを特徴とする請求項１乃至１０のいずれか１項に記載の調剤支援装置。
【請求項１２】
処方データが入力されることにより、該処方データと、薬剤師データとを互いに関連付けて処方テーブルを作成し、薬品棚から薬品が取り出される際、薬品棚の各収容部に設けた担当薬剤師識別手段によって担当薬剤師を識別し、識別した担当薬剤師の薬剤師データに基づいて、前記処方テーブルを参照し、薬品棚から取り出す薬品の調剤を許可されている薬剤師であるか否かを判断することを特徴とする調剤支援方法。
【発明の詳細な説明】
【技術分野】
【０００１】
本発明は、調剤支援装置及び調剤支援方法に関するものである。
【背景技術】
【０００２】
従来、調剤を行う場合、薬剤師が処方箋を見て薬品棚から該当する薬品を取り出すようにしていた。ところが、この方法では、処方箋の見間違い等、人的ミスが発生しやすい。また、薬剤師の習熟度の違いにより作業性に大きな違いがある。
【０００３】
このため、調剤を支援するために、手動式の装置（例えば、特許文献１参照）あるいは自動式の装置（例えば、特許文献２乃至４参照）が提案されている。
【０００４】
また、調剤を行う担当者が付けたリストバンドにＩＣチップを設け、薬品を収容した収容部に設けたアンテナで、前記ＩＣチップに記憶させた担当者の情報が読み取られれば、その情報を読み取った時刻と共に、収容部に設けた記憶部に記憶させるようにした薬剤管理システムが提案されている（例えば、特許文献５参照）。
【０００５】
【特許文献１】特開２００４−１８７９５９号公報
【特許文献２】特許第２８２６５４７号公報
【特許文献３】特許第２８１８７５９号公報
【特許文献４】特許第３０８３１６５号公報
【特許文献５】特開２００３−１４４５２５号公報
【発明の開示】
【発明が解決しようとする課題】
【０００６】
しかしながら、手動式のものでは、バーコードリーダーで指示箋を読ませると、該当する棚の扉等が自動開放されるようになっているだけである。このため、一度に複数の指示箋を読ませて同時に複数人の薬剤師が調剤することはできない。また、誤った棚から薬品を取り出しても、何等対処することは不可能である。
【０００７】
また、自動式のものでは、装置が大がかりで、複雑化し、高価なものとなる。
【０００８】
また、薬剤管理システムでは、調剤を行う際の履歴を残せるに留まり、複数人が同時に作業できる環境は提供できない。
【０００９】
そこで、本発明は、簡単かつ安価な構成であるにも拘わらず、複数人の薬剤師が同時に調剤を行うことのできる作業性のよい調剤支援装置及び調剤支援方法を提供することを課題とする。
【課題を解決するための手段】
【００１０】
本発明は、前記課題を解決するための手段として、調剤支援装置を、薬品が収容される薬品棚の各収容部に設けられ、担当薬剤師を識別する担当薬剤師識別手段と、薬剤師データが格納される記憶手段と、処方データが入力されることにより、該処方データと、前記記憶手段に格納した薬剤師データとを互いに関連付けて処方テーブルを作成し、該処方テーブルを前記記憶手段に格納した後、薬品棚から薬品が取り出される際、前記担当薬剤師識別手段によって識別された薬剤師の薬剤師データに基づいて、前記処方テーブルを参照し、薬品棚から取り出す薬品の調剤を許可されている薬剤師であるか否かを判断する制御手段とを備えた構成としたものである。
【００１１】
ここで、担当薬剤師とは、薬剤師データに登録されている薬剤師のうち、担当薬剤師識別手段によって識別された薬剤師を意味する。また、処方データとは、医師が作成した処方箋の内容に関するデータを意味する。薬剤師データとは、薬剤師に関するデータ、例えば、氏名、コード番号等を意味する。
【００１２】
前記構成により、収容部から薬品を取り出す際、各収容部に設けた担当薬剤師識別手段によって薬剤師が識別され、処方テーブルが照会されることにより、その収容部から薬品を取り出す権限のある薬剤師であるか否かの判断が行われる。このため、複数人の薬剤師が同時に調剤作業を行ったとしても、誤って異なる収容部から薬品を取り出すことを適切に防止することができる。また、各収容部に担当薬剤師識別手段を設け、その収容部から薬品を取り出そうとする薬剤師が許可を受けたものか否かを判断するだけでよいので、構成が簡単で安価に制作することができる。
【００１３】
前記担当薬剤師識別手段によって識別する対象は、薬剤師の手に装着される識別部材であるのが好ましい。
【００１４】
この構成により、薬剤師が薬品棚の収容部に手を挿入して薬品を取り出す際、確実に、各収容部に設けた担当薬剤師識別手段によって識別部材を読み取ることができる。したがって、その収容部から薬品を取り出す権限のある薬剤師であるか否かの判断を適切に行うことができる。
【００１５】
調剤開始時に薬剤師データを読み込む薬剤師データ読込手段と、調剤開始時に勤務薬剤師を識別するための勤務薬剤師識別手段とをさらに備え、前記制御手段は、前記薬剤師データ読込手段で読み込まれた薬剤師データが前記記憶手段に記憶されているか否かを判断し、記憶されていると判断すれば、前記勤務薬剤師識別手段によって識別された勤務薬剤師データとを互いに関連付けることにより勤務薬剤師テーブルを作成し、該勤務薬剤師テーブルを前記記憶手段に格納するのが好ましい。
【００１６】
この構成により、調剤開始時点で、薬剤師データ読込手段で読み込まれた薬剤師データが記憶手段に記憶されているか否かの判断を行い、勤務薬剤師識別手段で、その薬剤師が調剤を行ってよいか否かの判断を行うことができる。このため、調剤することができるのは、登録された薬剤師であって、調剤の許可を受けた者のみとすることが可能となる。
【００１７】
前記薬品棚の各棚には、担当薬剤師別に識別可能な表示部を設けるのが好ましい。
【００１８】
この構成により、複数人の薬剤師が同時に調剤を開始したとしても、各担当者がどの収容部から薬品を取り出せばよいのかが一目で分かる。したがって、非常に効率よく調剤作業を進めることができる。
【００１９】
前記薬品棚の各棚には、薬品の残量を検出する薬品残量検出部を設けるのが好ましい。
【００２０】
この構成により、処方データに従って収容部から薬品を取り出す場合、薬品残量と、この薬品残量に基づいて取出量とを検出することができる。これにより、在庫管理を行うことができると共に、取出数量に誤りがないか否かをチェックすることが可能となる。
【００２１】
前記制御手段は、処方データと担当薬剤師の関連付けを薬品毎に設定して前記記憶手段に格納するのが好ましい。
【００２２】
この構成により、きめ細かい効率的な調剤作業を行うことが可能となる。例えば、薬品毎に、担当する薬剤師を決めることができ、複数人の薬剤師が一列に並んで流れ作業のように調剤を進めることも可能となる。
【００２３】
前記制御手段は、薬品棚から薬品が取り出されたことが、前記薬品残量検出部によって検出されることにより、取り出された薬品とその数量を算出し、調剤が完了する毎に、調剤完了テーブルに格納するのが好ましい。
【００２４】
この構成により、調剤を行った薬剤師が誰であり、いつ、どの薬品についてどれだけ薬品棚から取り出したのか等を特定することができる。また、責任の所在を明らかにすることが可能となる。
【００２５】
前記薬品棚を開閉駆動可能な開閉部材をさらに備え、前記制御手段は、前記勤務薬剤師識別手段で薬剤師を識別し、前記記憶手段に予め格納された薬剤師データに該当するものがあれば、前記開閉部材を駆動制御して薬品棚を開放するのが好ましい。
【００２６】
前記薬品棚の各収容部に開閉駆動可能な扉を設け、前記制御手段は、入力された処方データに基づいて、前記記憶手段に記憶した処方テーブルから担当薬剤師を読み込み、読み込んだ担当薬剤師と、前記勤務薬剤師識別手段で識別した薬剤師とが一致しているか否かを判断し、一致していれば、前記処方データに含まれる薬品が収容された収容部の扉を開放するのが好ましい。
【００２７】
これらの構成により、夜間等に、権限のない第三者が勝手に薬品棚から薬品を取り出すことを確実に防止することができる。特に、各収容部に扉を設けたものでは、作業途中であっても、権限のない者による取出を防止できる。
【００２８】
前記薬品棚の各収容部は、該収容部への進入物を検出する進入物検出手段をさらに備え、前記制御手段は、前記薬品師識別手段の検出信号の入力がない状態で、前記薬品取出有無検出手段からの検出信号の入力があれば、エラーであると判断するのが好ましい。
【００２９】
この構成により、識別部材を装着することなく薬品棚から薬品が取り出される行為に対して警告することが可能となる。したがって、薬品棚から薬品を取り出しやすい環境すなわち開口したままの状態を維持しつつ、誤取出や不正取出を適切に防止することができる。
【００３０】
前記薬品棚は、薬品を収容可能な引出を備え、該引出は、内部が複数の収容室に区画され、引き出す前に外部に露出する部位に配置され、処方データに基づいて調剤の対象となる薬品が収容されているか否かを表示する表示部と、引き出すことにより露出する部位に配置され、調剤の対象となる薬品が収容されている収容室を示す他の表示部とを備えるのが好ましい。
【００３１】
この構成により、収容した薬品を直接目で確認できない引出内から迅速に該当する薬品を取り出すことが可能となる。すなわち、表示部で、該当する薬品がいずれの引出に収容されているのかを確認した後、薬品棚から引出を引き出せば、該当する薬品がいずれの収容室に収容されているのかを一目で把握することができる。
【００３２】
また、本発明は、前記課題を解決するための手段として、調剤支援方法を、処方データが入力されることにより、該処方データと、薬剤師データとを互いに関連付けて処方テーブルを作成し、薬品棚から薬品が取り出される際、薬品棚の各収容部に設けた担当薬剤師識別手段によって担当薬剤師を識別し、識別した担当薬剤師の薬剤師データに基づいて、前記処方テーブルを参照し、薬品棚から取り出す薬品の調剤を許可されている薬剤師であるか否かを判断するようにしたものである。
【発明の効果】
【００３３】
本発明によれば、薬品棚の各収容部に担当薬剤師識別手段を設けて薬品を取り出す者が調剤を許可されている薬剤師であるか否かの判断を行うようにしただけであるので、構成が簡単で安価に制作することができるばかりか、誤って異なる収容部から薬品を取り出すことを確実に防止することが可能となる。
【発明を実施するための最良の形態】
【００３４】
以下、本発明に係る実施形態を添付図面に従って説明する。
【００３５】
[第１実施形態]
図１は、第１実施形態に係る調剤支援装置１の外観を示す。この調剤支援装置１は、調剤台２上に薬品棚３を形成したものである。
【００３６】
調剤台２は、前面側に引出可能な複数の引出４を備え、内部にカテーテル、湿布、ガーゼ等の医療関連部材や、点滴薬等の薬品が収容されている。また、調剤台２上には、図２に示すバーコードリーダー５が設置されている。このバーコードリーダー５は、バーコード認識部６、ＲＦＩＤアンテナ７（RFID：Radio Frequency Identification）、ブザー８等を備える。バーコード認識部６は、調剤指示箋Ｐに印刷されたバーコードＡを識別する（図８参照）。これにより、ホストコンピュータ９から入力された処方データ（医師が作成した処方箋の内容に関するデータ）から前記指示箋Ｐに記載された患者のものが抽出される。ＲＦＩＤアンテナ７は、本発明に係る勤務薬剤師識別手段の一例であり、後述するように、勤務薬剤師が指に装着する指輪等の識別部材１０の識別に使用される。そして、勤務薬剤師が、バーコード認識部６により指示箋ＰのバーコードＡを読み取る作業を行う際、意識することなく自動的に識別部材１０の識別を行うことが可能となっている。ブザー８は、調剤指示箋Ｐの内容に従って調剤を行う際、誤った薬品Ｄを取り出した場合や、バーコードリーダー５によって指示箋ＰのバーコードＡを読み取る場合等に勤務薬剤師に報知するためのものである。報知の方法としては、「ピッ」等の確認音で行ったり、「異なる薬品です。」等の音声で行ったりすればよい。
【００３７】
薬品棚３は、収容部となる複数のカセット１１を備え、各カセット１１には薬品Ｄ（Ｄ１，Ｄ２）が種類別にそれぞれ収容されている。薬品棚３の前面は上部に設けたシャッター１２によって閉鎖可能となっており、夜間等の不使用時にはカセット１１からの薬品Ｄの取出は完全に遮断される。
【００３８】
各カセット１１は、図３に示すように、前面に表示操作パネル１３を備え、その上方には前面側に開口する薬品収容室１４が形成されている。表示操作パネル１３には、図３（ｃ）に示すように、予定数表示部１５、取出数表示部１６、識別表示部１７、キャンセルボタン１８がそれぞれ設けられている。予定数表示部１５には、処方データに基づいて決定された、カセット１１から取り出すべき薬品Ｄの数量が表示される。取出数表示部１６には、カセット１１から実際に取り出された薬品Ｄの取出数が表示される。キャンセルボタン１８は、調剤を中止する場合等に使用される。
【００３９】
なお、表示操作パネル１３には、図３（ｄ）に示すように、収容されている薬品Ｄの数量（図３（ｄ）では、「５」）と、端数（図３（ｄ）では「２」）とを表示するようにしてもよい。ここで言う薬品Ｄとは、製薬会社等から納品される薬品の形態そのままという意味である。例えば、プレススルーパック（Press Through Pack）であれば、錠剤等が１つずつ収容されたものが数個連続してシート状となったものが薬品Ｄに該当する。また、端数とは、前記薬品Ｄの一部を切り離した状態を意味する。
【００４０】
また、識別表示部１７は、図４又は図５に示すように、複数の色の異なる発光ダイオード（ＬＥＤ：Light Emitting Diode）で構成してもよい。図４では、ＬＥＤは円周上に配置されている。図５では、ＬＥＤは上下２列で配置されている。ＬＥＤの数、色等のほか、配設位置も自由に選択できる。いずれにしても、点灯する色の違いにより、担当する勤務薬剤師（担当薬剤師）を識別可能となっている。これにより、担当薬剤師は割り当てられた色のＬＥＤが点灯するカセット１１に、調剤すべき薬品Ｄが収容されていることを一目で把握することが可能である。なお、担当薬剤師毎にＬＥＤの色を変更する以外に、予め決められた薬剤師ＩＤ等を表示する表示部を設ける等により対応するようにしてもよい。要は、薬品棚３の各薬品収容室１４から、誰が薬品を取り出すのかを識別可能であればよい。
【００４１】
薬品収容室１４の開口縁部には、識別部材１０が薬品収容室１４内に挿入された場合にのみ識別可能なアンテナ線１９が設けられている。このアンテナ線１９は、本発明の担当薬剤師識別手段の一例であり、図１７（ａ）に示すように、担当薬剤師が指に装着した指輪の識別部材１０を検出する。この場合、識別部材１０には無線チップ（RFIDタグ）が使用される。但し、バーコードシール（シールにバーコードを印刷したもの）等、非接触で識別可能なものや、指紋認証、タッチ通信システム（http://www.mew.co.jp/press/0409/0409-3.htm参照)等の接触により識別可能なものも使用できる。無線チップは、指輪、ブレスレット（図１７（ｃ）参照）等に設けて使用することができる。バーコードシールは、図１７（ｂ）に示すように、爪等に貼り付けておけばよい。また、前記アンテナ線１９に代えてカラーセンサを設けるようにすれば、カラー手袋を使用することにより対応することも可能である。勿論、識別部材１０を検出するのは、前記アンテナ線１９に限らず、識別部材１０の種類に応じて適宜適切なものを使用すればよい。なお、指輪、カラー手袋等の色を点灯させるＬＥＤの色と一致させておくことにより、作業中の判断を容易に行わせることができる。
【００４２】
なお、前記識別部材１０は、担当薬剤師を識別するために使用したが、緊急時の取出用としていずれの薬品収容室１４からでも薬品を取り出すことができるものを準備しておくようにしてもよい。但し、後述するようにして薬剤師の識別とどの薬品をどれだけ取り出したのかを記録する必要がある。また、緊急時の取出用として、別途スイッチ等の操作部を設け、この操作部が操作されることにより、いずれの薬品収容室１４からでも薬品Ｄを取り出せるようにしてもよい。これにより、指輪等を取り替えることなく迅速に対応することが可能となる。なお、この場合にも前記記録は必要である。
【００４３】
薬品収容室１４の内部には、図３（ａ）に示すように、底面に開口側に向かって徐々に上方へと突出する傾斜台２０が設置されている。そして、この傾斜台２０に、プレススルーパック等、包装された薬品Ｄ１が積層状態で載置される。積層された薬品Ｄ１は、傾斜台２０の傾斜面に沿って傾斜し、最上部に位置する薬品Ｄ１には薬品残量検出センサ２１を構成する付勢アーム２２の先端が当接している。付勢アーム２２の先端には回転自在にローラ２３が設けられており、カセット１１からの薬品Ｄ１の取り出しをスムーズに行うことができるようになっている。そして、積層される薬品数が相違すると、付勢アーム２２の先端に設けたローラ２３が当接する位置も変化し、付勢アーム２２の傾斜角度が変位するので、その傾斜角度の変化に基づいて薬品残量を検出できるようになっている。また、傾斜台２０と開口との間には、端数となった薬品Ｄ２を載置しておくための端数薬品収容部１４ａが設けられている。
【００４４】
なお、前記薬品残量検出センサ２１には、図６に示す反射型センサ２７や、図７に示す計量機器２８ａ，２８ｂを使用することも可能である。図６では、カセット１１の上面に反射型センサ２７が設けられ、発光素子から発した光を薬品Ｄ１で反射させ、受光素子で受光するまでの時間により、傾斜台２０での薬品Ｄ１の積層量を推測し、薬品残量を算出する。図７では、傾斜台２０の下方と、端数薬品収容部１４ａの下方とには重量を検出するための計量機器が設けられ、それぞれ薬品Ｄ１，Ｄ２の重量を検出し、検出された重量に基づいて薬品残量を算出する。但し、前記薬品残量検出センサ２１に使用可能なものは、前記構成のものには限られない。
【００４５】
前記バーコードリーダー５やカセット１１等は、図８に示すように、メインコントローラ２４との間で信号が送受信される。
【００４６】
メインコントローラ２４は、ホストコンピュータ９から入力される各患者の処方データに基づいて調剤処理時の各制御を行う。メインコントローラ２４は、バーコードリーダー５のバーコード読取部６やＲＦＩＤアンテナ７、あるいは、カセット１１のアンテナ線１９や薬品残量検出センサ２１での検出信号に基づいて、記憶部２５に記憶した各テーブルを参照して薬品棚３、ディスプレイ２６、ブザー８等を駆動制御する。
【００４７】
前記記憶部２５には、患者マスタテーブル、薬品マスタテーブル、薬品管理マスタテーブル、勤務薬剤師マスタテーブル、識別マスタテーブル、処方テーブル、調剤完了テーブル等が記憶されている。
【００４８】
患者マスタテーブルには、保険証のデータ（患者ＩＤ（Identification、以下、ＩＤは全てこの意）、患者氏名）や、血液型、身長、体重、アレルギー等のバイタルデータが患者単位で格納される。薬品マスタテーブルには、薬品Ｄの情報、例えば、図９に示すように、薬品ＩＤ、薬品名称、包装形態、規格量、効能、剤形、在庫量、充填日、ロットNo.、（薬品Ｄの）有効期限等が格納される。薬品管理マスタテーブルには、薬品棚３の棚番号と薬品Ｄとが関連付けされ、図１０に示すように、収納管理ＩＤ，棚位置、薬品ＩＤが格納される。但し、薬品マスタテーブルに棚番号と薬品Ｄとの関連付けを行った情報を追加すれば、薬品管理マスタテーブルは不要である。勤務薬剤師マスタテーブルには、図１１に示すように、現在調剤を行っている薬剤師に関する情報、例えば、指輪ＩＤ、薬剤師ＩＤ、ログインタイム、ログアウトタイム等が格納される。識別マスタテーブルには、勤務薬剤師マスタテーブル内の薬剤師ＩＤと関連付けて、指輪ＩＤ、色（赤色、青色、黄色、緑色、水色、紫色、白色）、忘れ報知タイマー、点滅パターン（早く点滅、ゆっくり点滅、変化無し等）、完了報知音、エラー報知音、権限等が格納される。処方テーブルには、調剤待ちの処方データ、すなわち、図１２に示すように、患者ＩＤ、患者名、処方ＩＤ、薬品ＩＤ、服用時期、日数、日付、勤務薬剤師ＩＤ等が格納される。調剤完了テーブルには、処方テーブルで処理された調剤完了データ、すなわち、図１３に示すように、患者ＩＤ、処方ＩＤ、薬品ＩＤ、完了時刻等が格納される。
【００４９】
次に、前記メインコントローラ２４による調剤処理時の制御方法について、図１４及び図１５に示すフローチャートに従い、図１６に示すデータフロー図を参照して説明する。
【００５０】
まず、図示しない認証装置によって薬剤師に関する情報（薬剤師データ）を読み込み（ステップＳ１）、認証を行う（ステップＳ２：図１６中、ａ参照）。薬剤師データとしては、例えば、パスワード、ＩＤカード、指紋、音声、虹彩等が挙げられる。そして、読み込まれた情報を薬剤師マスタテーブルと照合し、予め登録されたものであるか否か、すなわち調剤処理を行って良い薬剤師であるか否かを判断することにより認証を行う。認証されなければ、ブザー８等でエラーを報知し（ステップＳ３）、処理を終了する。これにより、不正に薬品Ｄが取り出されることを防止することが可能となる。但し、シャッター１２が開放しているか否かに拘わらず、調剤を開始しようとする薬剤師は全員認証が必要である。
【００５１】
認証されれば、シャッター１２が開放しているか否かを判断し（ステップＳ４）、閉じていればシャッター１２を開放する（ステップＳ５）。認証された薬剤師が一人もいなければ、シャッター１２は閉じたままとなるので、権限のない第三者が勝手に薬品Ｄを取り出すことができず、安全である。
【００５２】
続いて、薬剤師が装着した指輪、すなわち指輪に設けた識別部材１０に記憶させた識別情報（勤務薬剤師データ：例えば、指輪識別ＩＤ）がＲＦＩＤアンテナ７で読み取られたか否かを判断する（ステップＳ６）。
【００５３】
指輪識別ＩＤが読み取られれば、この指輪識別ＩＤと前記ステップＳ１で読み込んだ薬剤師データとの関連付けを行い、図１１に示す勤務薬剤師マスタテーブルに格納する（ステップＳ７：図１６中、ｂ参照）。また、認証が完了した旨をディスプレイ２６に表示させる（ステップＳ８）。
【００５４】
次いで、バーコードリーダー５によって指示箋Ｐに付されたバーコードＡ（処方データをコード化した２次元バーコード）がスキャンされたか否かを判断する（ステップＳ９）。指示箋Ｐに付されたバーコードＡがスキャンされれば、そこに記載された患者について、ホストコンピュータ９から処方データが読み込まれ、薬品管理マスタテーブルから処方すべき薬品Ｄを収容した棚番号等が読み込まれる（ステップＳ１０）。
【００５５】
処方データ等が読み込まれれば、処方データ割付処理を開始する（ステップＳ１１）。処方データ割付処理では、前記ステップＳ１０で読み込まれた処方データの処方データＩＤと、前記ステップＳ７で関連付けられて勤務薬剤師マスタテーブルに格納された指輪識別ＩＤとを関連付け、実際に調剤を担当する薬剤師を担当薬剤師に決定し、処方テーブルに格納する（図１６中、ｃ参照）。
【００５６】
担当薬剤師が決定されれば、各カセット１１のＬＥＤを点灯する表示処理を行う（ステップＳ１２）。ＬＥＤは、指輪に設けた識別部材１０に対応させた複数色が用意されており、該当する色が点灯する。表示処理では、処方データに含まれる薬品Ｄが収容された棚のＬＥＤのうち、担当薬剤師に対応するＬＥＤを点灯するこれにより、担当薬剤師が複数人同時に調剤作業を行う場合であっても、どの棚の薬品Ｄを取り出せばよいのかを一目で即座に識別することが可能となる。
【００５７】
担当薬剤師による調剤が開始されると、薬品Ｄを取り出そうとして手を入れたカセット１１では、指に装着した指輪に付けたRFIDタグ（識別部材１０）がアンテナ線１９によって読み取られる。そこで、手を挿入した薬剤師がステップＳ９で担当することになった処方データの薬品Ｄの取り出しであるか否かの認証を行う（ステップＳ１３）。認証されない場合、ブザー８等によりエラー報知し（ステップＳ１４）、処理を終了する。
【００５８】
認証された場合、調剤作業が終了したか否かを判断する（ステップＳ１５）。調剤作業の終了は、薬品Ｄの取り出しを開始したカセット１１で、次の薬品Ｄの取り出しが一定時間内になかったり、担当薬剤師が調剤を完了したと判断して図示しない操作完了ボタンが操作されたりしたことを検出することにより判断すればよい。
【００５９】
調剤作業が終了すれば、その調剤が処方通りに行われたか否かを判断する（ステップＳ１６）。処方通りか否かは、カセット１１からの薬品Ｄの取り出し数量が処方データに合致するものか否かで判断する。処方数を超える薬品Ｄが取り出されたり、取り出された薬品Ｄが処方数未満で、次の薬品Ｄが取り出されることなく一定時間が経過したりすれば、ブザー８等により担当薬剤師に報知する（ステップＳ１７）。これにより、薬品Ｄの取り出し数量の誤りを確実に防止することができる。また、ディスプレイ２６には、エラー内容を表示するほか、「取り直し」及び「無視」からなる選択ボタンを表示し、いずれのボタンが操作されたのかを判断する（ステップＳ１８）。「取り直し」ボタンを操作すれば、ステップＳ１３に戻って調剤をやり直すことができる。この場合、誤って取り出された薬品Ｄは、元のカセット１１に戻しておけばよい。「無視」ボタンの操作は、例えば、患者の容態が急変し、調剤内容が変更になったが、データが更新されていない場合等に利用する。この場合、後述するステップＳ１９で取出履歴が記録されるので、責任の所在を明確化することで、不正や調剤ミスの原因を究明することが可能となる。
【００６０】
調剤が処方通りに行われた場合、及び、前記ステップＳ１８で「無視」ボタンが操作された場合、図１３に示すように、取出履歴を図１３に示す調剤完了テーブルに記録し（ステップＳ１９：図１６中、ｄ参照）、順次、対応するＬＥＤを消灯する（ステップＳ２０）。ここで、ステップＳ１２で点灯させたＬＥＤのうち、まだ点灯しているものがあるか否かを判断する（ステップＳ２１）。点灯しているものがあれば、ステップＳ１３に戻って前述の調剤を繰り返し、処方データに含まれる全薬品Ｄの調剤が完了すれば、調剤処理を終了する。
【００６１】
なお、前記ステップＳ１９で行った調剤完了テーブルへの記録は、ある処方データについての調剤が全て完了した時点で行うようにしてもよい。
【００６２】
以上のようにして調剤作業が行われるが、薬品残量検出センサ２１により、薬品棚３の各カセット１１で薬品Ｄに欠品等が発生したことが検出されれば、その旨がブザー８等により報知される。薬剤師は欠品等の発生したカセット１１に該当する薬品Ｄを収容する。このとき、薬品マスタテーブルに充填日が記録され、薬品管理マスタテーブルに充填された薬品Ｄと棚番号との関連付けが行われる。これにより、薬品Ｄの在庫管理が適切に行われることになる。
【００６３】
[第２実施形態]
図１８及び図１９は、第２実施形態に係る調剤支援装置３０を示す。この調剤支援装置３０は、前記第１実施形態に係るものとは主に次の点で相違する。なお、以下の説明及び図面では、同一構成部分については同一符号を付してその説明を省略する。
【００６４】
薬品棚３の各カセット１１には、図２０に示すように、進入物検出センサ３１が設けられている。また、各カセット１１には、図２１に示すように、第１表示部３２が設けられている。さらに、各引出４にも、図２２乃至図２４に示すように、前面に設けた把持部４ｂの中央と、引出４内の区画壁４ａの上面とに、第２表示部３３と、第３表示部３４とがそれぞれ設けられている。
【００６５】
また、薬品棚３の下方側には、図示しないシャッター開閉キーを差し込み可能なキー穴３５が設けられている。薬品棚３をシャッター１２にて閉鎖し、キー穴３５にシャッター開閉キーを差し込んで回転させれば、シャッター１２を閉鎖状態にロックすることが可能である。これにより、薬品棚３を開放する際、シャッター１２のロックを解除するために、キーと調剤者の認証との両方で管理することができ、さらに安全面で優れている。
【００６６】
また、調剤台２の上面には、キー穴３５の近傍に調剤完了ボタン３６が設けられている。全ての調剤が完了した時点で、調剤完了ボタン３６を押圧すれば、シャッター１２が自動的に閉鎖される。但し、調剤者が調剤支援装置３０から離れる場合、調剤完了ボタン３６を押圧すれば、直ぐにシャッター１２で閉鎖しておくことができ、勝手に薬品が取り出されることを防止することが可能となる。
【００６７】
なお、シャッター１２は、図２５に示すように、両側側壁に形成したガイド溝３ａに沿って移動自在に設けられている。シャッター１２は、図示しないモータの駆動により、前面の薬品棚３を覆う閉鎖位置（図２５（ａ）参照）と、背面側に位置して薬品棚３を開放する開放位置（図２５（ｂ）参照）との間で往復移動可能となっている。
【００６８】
挿入検出センサ３１は、図２０（ａ）に示すように、各カセット１１の開口縁部の上下中央部に発光素子３１ａと受光素子３１ｂをそれぞれ設けたものである。カセット１１内から薬品を取り出そうとすれば、入れた手又は取り出そうとする薬品によって必ず光路が遮られる。つまり、受光素子３１ｂで発光素子３１ａから照射された光を検出できないので、挿入検出センサ３１は検出信号（ここではオフ信号）を出力する。
【００６９】
また、挿入検出センサ３１は、図２０（ｂ）に示すように、各カセット１１の開口縁部うち、上方位置の左右にそれぞれ設けられる発光素子３１ａ及び受光素子３１ｂと、下方位置の中央に設けられる反射部３１ｃ（例えば、反射鏡）とで構成してもよい。これによれば、発光素子３１ａから照射された光が、反射部３１ｃで反射された後、受光素子３１ｂで検出され、光路は略Ｖ字形となる。したがって、カセット１１の開口面積が大きい場合であっても、素子の数量を増やすことなく、安価に手や薬品を検出することが可能である。なお、反射部３７の数を増やして光路をジグザグ状とすることも可能である。これにより、手を出し入れする入口部分の開口面積がさらに大きなカセット１１であっても、発光素子３１ａ及び受光素子３１ｂは１つずつ用意するだけでよいので、安価に対応することができる。また、光を反射部３１ｃで反射させる場合、光源として半導体レーザ光を使用するのが好ましい。
【００７０】
第１表示部３２は、図２１（ａ）に示すように、液晶等のディスプレイからなり、作業者の識別番号（ＩＤ）を表示するＩＤ表示部３２ａと、カセット１１に収容されている薬品の数量を表示する数量表示部３２ｂとで構成されている。数量表示部３２ｂには、前記第１実施形態と同様に、収容されている薬品Ｄの数量（ここでは、シート数）と、端数とを表示できるようになっている。
【００７１】
また、第１表示部３２は、図２１（ｂ）に示すように、棚番号のみを表示するようにしてもよい。複数の調剤者が同時に作業する場合、棚番号あるいはその背景の表示色を変更するようにしてもよい。この場合、先に処理された処方データについての担当調剤者から順に表示色を異ならせるようにすればよい。例えば、先の処方データに関する担当調剤者Ａが赤色、次の処方データに関する担当調剤者Ｂが黄色である場合、棚番号は、最初に赤色表示とし、該当する薬品が所定数取り出されれば、黄色に変更するようにすればよい。また、次の担当調剤者がいる場合、最初の担当調剤者に対応させた色表示を点滅等で識別可能としてもよい。これにより、その棚番号のカセット１１で次の作業者がいるかいないかを一目で判別できる。このため、先の作業者がそのカセット１１での調剤を優先させることにより、全体としての作業性を向上させることが可能となる。
【００７２】
また、第１表示部３２は、図２１（ｃ）に示すように、棚番号のほかに、ＮＧ表示部３７及びＯＫ表示部３８を設けるようにしてもよい。ＮＧ表示部３７は、誤って権限のない調剤者がカセット１１内に手を入れた場合に点灯させて警告する。カセット１１内に処方する薬品が必要数残っていない場合に点灯させるようにしてもよい。なお、ＮＧ表示部３７には、赤色のＬＥＤを使用して調剤者や周囲の注意を惹くことができるようになっている。
【００７３】
さらに、第１表示部３２は、図２１（ｄ）に示すように、担当者識別表示を行うようにすることも可能である。すなわち、複数人の調剤者に対応して色彩の異なる複数のＬＥＤを設け、担当調剤者が認証されることにより、対応するＬＥＤを点灯させる。ここでは、６名同時に調剤作業を行えるように、６個の異なる色彩のＬＥＤを並設したものが使用されている。前記ステップＳ１と同様に、作業を行う担当薬剤師の認証が行われることにより、該当するＬＥＤを点灯すればよい。これにより、前述の棚番号のみを表示する場合に比べて調剤者は対象となるカセット１１を容易に識別可能となり、より一層作業性を向上させることが可能となる。
【００７４】
第２表示部３３は、図２２（ａ）に示すように、各引出４の把持部４ｂに設けた指示ランプ３９で構成されている。指示ランプ３９は、調剤を行う際、処方データに基づいて該当する薬品がいずれの引出４に収容されているのかが一目で分かるようにするためのものである。調剤者は、一々引出４を引き出すことなく、点灯した指示ランプ３９を見て該当する薬品が収容されている引出４を特定することができるので、効率よく調剤作業を行うことができる。複数の調剤者が同時に作業することができるように、前記第１表示部３２と同様に、指示ランプ３９の表示色を変更可能な構成を採用することもできるし、図２２（ｂ）に示すように、担当者識別表示を行うようにすることも可能である。
【００７５】
第３表示部３４は、前記第１表示部３２と同様な構成であり、引出４の内部に設けた区画壁４ａの上面に設けられている。図２３では、両側に位置する区画壁４ａに設けられ、各第３表示部３４が各収容室４ｃ（ここでは６箇所）にそれぞれ対応している。また、図２４では、引出方向に区画する区画壁４ａの上面にそれぞれ設けられ、薬剤師から見て各第３表示部３４は各収容室４ｃ（ここでは、１２箇所）の手前側に位置している。
【００７６】
このように、各引出４に第２表示部３３及び第３表示部３４を設けたので、調剤者は、第２表示部３３の表示で、いずれの引出４であるのかを判別し、その特定した引出４を引き出すことにより、いずれの収容室４ｃであるのかを一目で特定することができる。
【００７７】
メインコントローラ２４では、前記第１実施形態の場合と同様に、カセット１１の開口部に設けたアンテナ線１９での検出信号に基づいてRFIDタグ（識別部材１０）を装着した人によって薬品が適切に取り出されたか否かを判断するほか、挿入検出センサ３１での検出信号に基づいて不正に薬品が取り出されることを防止する。すなわち、RFIDタグ１０を装着することなく、カセット１１から薬品が取り出されると、メインコントローラ２４には挿入検出センサ３１のみから検出信号が入力される。そこで、ブザー８を鳴らしたり、表示操作パネル１３に警告表示させたりすることによりエラーを報知する。これにより、不正に薬品が取り出されることを防止することが可能となる。
【００７８】
なお、前記引出４の各収容室４ｃにも、挿入検出センサ３１あるいはアンテナ線１９を設けることにより、手や薬品、あるいは識別部材１０を検出可能とすれば、前述と同様な効果を得ることができる。
【００７９】
[他の実施形態]
前記各実施形態では、シャッター１２により薬品棚３の全体を開閉する構成を採用したが、各カセット１１の薬品収容室１４を開閉する扉（図示せず）をそれぞれ設けるようにしても構わない。
【００８０】
すなわち、各扉はモータ等によって個別に開閉駆動可能とする。また、入力された処方データに基づいて、記憶部２５に記憶した処方テーブルから担当薬剤師を読み込む。また、ＲＦＩＤアンテナ７により勤務薬剤師が指に装着する指輪等の識別部材１０を読み取り、記憶部２５に記憶した勤務薬剤師マスタテーブルで薬剤師を特定する。薬剤師が特定されれば、前記処方テーブルから読み込んだ担当薬剤師と比較する。そして、両者が合致するか否かを判断する。合致すれば、その都度、前記処方データに含まれる薬品が収容された薬品収容室１４の扉を開放する。そして、該当する数量だけ薬品が取り出されれば、自動的に扉を閉鎖する。扉にはロック機構を採用し、閉鎖状態で手で開けることができないようにする。
【００８１】
このように、前記実施形態によれば、ある処方データに含まれる薬品が、担当薬剤師によってのみ調剤させることが可能となる。しかも、扉を開閉することにより、該当する薬品のみを取り扱うことが可能となり、調剤の誤りや不正取出を確実に防止することができる。
【００８２】
また、前記各実施形態では、１つの処方データに対して担当薬剤師を１名としていたが、薬品毎に担当薬剤師を決定することも可能である。この場合、１つの処方データに対して担当薬剤師が複数名となることもある。
【００８３】
この方法では、薬品（例えば、薬品コード）と薬剤師（例えば、薬剤師コード）とを互いに関連付けた処方テーブルを作成しておく。そして、処方データが入力されれば、この処方データに含まれる薬品に基づいて処方テーブルを参照し、各薬品の担当薬剤師を特定する。
【００８４】
例えば、薬品棚を複数の領域に区分し、各領域に収容された薬品の調剤を行う担当薬剤師を決める。そして、処方データが入力されれば、各領域にスタンバイした薬剤師が順次薬品棚３から該当する薬品を取り出す。より詳しくは、第１領域、第２領域、第３領域、…の順でＡ薬剤師、Ｂ薬剤師、Ｃ薬剤師が準備し、処方データが入力されれば、この処方データに含まれる薬品が収容されたカセット１１がいずれであるのかを識別可能に表示させる。薬剤師は、その表示を見ながら、薬品を取り出す。第１領域→第２領域→第３領域…の順でトレイを移動させながら、各薬剤師がトレイ内に取り出した薬品を収容する。これによれば、流れ作業で調剤作業を行うことができ、しかもトレイに収容する薬品を誤る心配がない。
【図面の簡単な説明】
【００８５】
【図１】第１実施形態に係る調剤支援装置の全体を示す斜視図である。
【図２】図１のバーコードリーダーを示す斜視図である。
【図３】（ａ）は図１の薬品棚に格納されるカセットを示す側面断面図、（ｂ）はその平面図、（ｃ）はその正面図、（ｄ）は他の例を示す正面図である。
【図４】（ａ）はカセットの他の例を示す正面図、（ｂ）はその部分側面図である。
【図５】（ａ）はカセットの他の例を示す正面図、（ｂ）はその部分側面図である。
【図６】カセットの他の例を示す側面図である。
【図７】（ａ）はカセットの他の例を示す側面図、（ｂ）はその平面図である。
【図８】図１の調剤支援装置の概略構成を示すブロック図である。
【図９】薬品マスタテーブルの内容を示す図表である。
【図１０】薬品管理マスタテーブルの内容を示す図表である。
【図１１】勤務薬剤師マスタテーブルの内容を示す図表である。
【図１２】処方テーブルの内容を示す図表である。
【図１３】調剤完了テーブルの内容を示す図表である。
【図１４】調剤（ピッキング）処理を示すフローチャート図である。
【図１５】調剤（ピッキング）処理を示すフローチャート図である。
【図１６】データフロー図である。
【図１７】識別部材の例を示す概略図である。
【図１８】第２実施形態に係る調剤支援装置の正面図である。
【図１９】図１の側面図である。
【図２０】図１８の調剤支援装置に採用される挿入検出センサの例を示す概略図である。
【図２１】図１８の調剤支援装置に採用可能な第１表示部の例を示す正面図である。
【図２２】図１８の調剤支援装置に採用可能な第２表示部の例を示す正面図である。
【図２３】図１８の調剤支援装置に採用可能な第３表示部の配置例を示す正面図である。
【図２４】図１８の調剤支援装置に採用可能な第３表示部の他の配置例を示す正面図である。
【図２５】図１８の調剤支援装置に採用可能なシャッターの例を示す側面断面図である。
【符号の説明】
【００８６】
１…調剤支援装置
２…調剤台
３…薬品棚
４…引出
５…バーコードリーダー
６…バーコード認識部
７…ＲＦＩＤアンテナ（担当薬剤師識別手段）
８…ブザー
９…ホストコンピュータ
１０…識別部材
１１…カセット
１２…シャッター
１３…表示操作パネル
１４…薬品収容室（収容部）
１５…予定数表示部
１６…取出数表示部
１７…識別表示部
１８…キャンセルボタン
１９…アンテナ線
２０…傾斜台
２１…薬品残量検出センサ
２２…付勢アーム
２３…ローラ
２４…メインコントローラ（制御手段）
２５…記憶部（記憶手段）
２６…ディスプレイ
３１…挿入検出センサ
３２…第１表示部
３３…第２表示部
３４…第３表示部
３５…キー穴
３６…調剤完了ボタン
３７…ＮＧ表示部
３８…ＯＫ表示部
３９…指示ランプ
Ｐ…調剤指示箋
Ａ…バーコード
Ｄ…薬品
Ｄ１…正規薬品
Ｄ２…端数薬品
【図１】
2006155599.tif 000003
【図２】
2006155599.tif 000004
【図３】
2006155599.tif 000005
【図４】
2006155599.tif 000006
【図５】
2006155599.tif 000007
【図６】
2006155599.tif 000008
【図７】
2006155599.tif 000009
【図８】
2006155599.tif 000010
【図９】
2006155599.tif 000011
【図１０】
2006155599.tif 000012
【図１１】
2006155599.tif 000013
【図１２】
2006155599.tif 000014
【図１３】
2006155599.tif 000015
【図１４】
2006155599.tif 000016
【図１５】
2006155599.tif 000017
【図１６】
2006155599.tif 000018
【図１７】
2006155599.tif 000019
【図１８】
2006155599.tif 000020
【図１９】
2006155599.tif 000021
【図２０】
2006155599.tif 000022
【図２１】
2006155599.tif 000023
【図２２】
2006155599.tif 000024
【図２３】
2006155599.tif 000025
【図２４】
2006155599.tif 000026
【図２５】
2006155599.tif 000027